(57)【要約】【課題】  矩形波リンガー信号では鳴動できなかったアナログ電話機を簡単な構成により鳴動可能なリンガー信号を発生させる。【解決手段】  スイッチング電源部１００の出力端子１６２から生成される矩形波リンガー信号では鳴動できなかったアナログ電話機１７に対して、コンデンサＣ４と抵抗Ｒ６で構成される波形形成部２００を、スイッチング電源部１００の出力側に設置したことにより、矩形波リンガー信号を鈍らせるとともに、リンガー信号の高調波成分を小さくしたことで、アナログ電話機１７を鳴動させるようにした。【選択図】  図１
2005094449.tif 000002
【特許請求の範囲】
【請求項１】
第１の周波数に基づいて高電圧を発生するスイッチング電源部と、
前記第１の周波数より低い周波数の第２の周波数に基づいて前記スイッチング電源部を動作、非動作に制御し出力より矩形波信号を生成させる制御手段と、
前記スイッチング電源部の出力より発生される矩形波信号の波形を鈍らせる波形成形部とを具備し、
前記波形成形部より出力される信号に基づいてアナログ電話機を鳴動させることを特徴とするリンガー信号発生回路。
【請求項２】
前記波形成形部は、前記スイッチング電源部の出力と基準電位点間に直列接続された抵抗とコンデンサで構成してなることを特徴とする請求項１記載のリンガー信号発生回路。
【請求項３】
前記アナログ電話機が複数並列接続されるときは、少なくとも前記抵抗に並列に抵抗を接続し、前記アナログ電話機が単独に接続された場合と同様の前記スイッチング電源部より出力される矩形波信号波形を鈍らせることを特徴とする請求項２記載のリンガー信号発生回路。
【発明の詳細な説明】
【技術分野】
【０００１】
この発明は、インターネットテレフォン、キーテレホン、ＰＢＸ等のアナログ電話機におけるリンガー信号の高調波成分を低減させる機能を有したリンガー信号発生回路に関する。
【背景技術】
【０００２】
従来のリンガー信号発生回路は、矩形波をフィルタ回路で正弦波に成形して正弦波出力としたものである。（例えば、特許文献１）
【特許文献１】特開平７−３０６４９号公報（第２頁、図１，３，４）
【発明の開示】
【発明が解決しようとする課題】
【０００３】
上記した特許文献１の技術は、フィルタにより正弦波を生成するものであるが、フィルタを構成するためにＰおよびＮチャネルのトランジスタと周辺回路として抵抗およびコンデンサを含めて複雑な回路構成が必要であった。そのためコストもかかり、実装面積も広く取る必要がある、という問題があった。
【０００４】
この発明の目的は、高調波成分を有する矩形波リンガー信号では鳴動できないアナログ電話機を鳴動できるリンガー信号を発生させるリンガー信号発生回路を提供させることにある。
【課題を解決するための手段】
【０００５】
上記した課題を解決するために、この発明のリンガー信号発生回路は、第１の周波数に基づいて高電圧を発生するスイッチング電源部と、前記第１の周波数より低い周波数の第２の周波数に基づいて前記スイッチング電源部を動作、非動作に制御し出力より矩形波信号を生成させる制御手段と、前記スイッチング電源部の出力より発生される矩形波信号の波形を鈍らせる波形成形部とを具備し、前記波形成形部より出力される信号に基づいてアナログ電話機を鳴動させることを特徴とする。
【発明の効果】
【０００６】
この発明のリンガー信号発生回路によれば、矩形波では鳴動できないアナログ電話機に対して、コンデンサと抵抗を追加するという簡単な構成により鳴動させることか可能となる。
【発明を実施するための最良の形態】
【０００７】
以下、この発明の実施例について、図面を参照しながら詳細に説明する。
【０００８】
図１は、この発明の一実施の形態について説明するための構成図である。図１において、１１はＡＮＤ回路であり、その入力端子１２１には２０Ｈｚを、入力端子１２２には２５ｋＨｘをそれぞれ供給する。１３は＋５Ｖの電源であり、電源１３はホトカプラ１４の発光素子１４１、抵抗Ｒ１を介して入力端子１２１に接続する。
【０００９】
ＡＮＤ回路１１の出力は、スイッチング電源部１００の抵抗Ｒ２の一端に接続する。抵抗Ｒ２の他端はコンデンサＣ１を介してＭＯＳ型の電界効果トランジスタＱのゲートに接続する。トランジスタＱのゲートは、並列接続された抵抗Ｒ３と逆接続のダイオードＤ１を介して−２４Ｖの電顕１５に接続する。トランジスタＱのドレインは、並列接続の抵抗
Ｒ４およびコンデンサＣ２、それにダイオードＤ２を介して接地する。また、トランジスタＱのドレインは、トランスＴの一次側の一端に接続する。トランスＴの一次側他端は接地する。トランジスタＱのソースは、電源１５に接続する。トランスＴの二次側の一端はコンデンサＣ３の一端に接続するとともにスイッチング電源１００の出力端子１６１に接続する。トランスＣ３の他端は、逆方向に接続されたダイオードＤ３を介してコンデンサＣ３の他端に接続するとともに出力端子１６２に接続する。
【００１０】
出力端子１６１はコンデンサＣ４、抵抗Ｒ５の一端にそれぞれ接続するとともに接地する。出力端子１６２は、抵抗Ｒ６，Ｒ７、アナログ電話機１７、抵抗Ｒ８を介して接地する。コンデンサＣ４の他端は抵抗Ｒ６，Ｒ７の接続点に接続する。抵抗Ｒ５の他端は、ダイオードＤ４を介してホトカプラ１４の受光素子１４２のコレクタに接続するとともに抵抗Ｒ９の一端に接続する。ホトカプラ１４のエミッタと抵抗Ｒ９の他端は、抵抗Ｒ６，Ｒ７の接続点にそれぞれ接続する。
【００１１】
なお、コンデンサＣ４、抵抗Ｒ６は波形成形部２００を構成し、抵抗Ｒ５、ダイオードＤ４、ホトカプラ１４の受光素子１４２、抵抗Ｒ９は地絡回路３００を構成する。
【００１２】
次に、図２を参照しながら図１の動作について説明する。
【００１３】
すなわち、入力端子１２１，１２２に供給される各信号は、図示しない前段のＣＰＵ（中央演算処理部）から生成されるものである。入力端子１２２には、図２（ａ）に示す２５ｋＨｚが供給され、この２５ｋＨｚはスイッチングの原振周波数であり、この周波数に基づきスイッチング電源部１００は高電圧を生成する。また、入力端子１２１には、図２（ｂ）に示す２０Ｈｚが供給され、この２０Ｈｚはリンガー周波数であり、スイッチング電源部１００をオン、オフ動作させるためのものである。
【００１４】
スイッチング電源部１００は、図２（ｂ）がＨレベルの期間で、かつ図２（ａ）がＨレベルの出力が図２（ｃ）に示すように出力される。図２（ｃ）の出力がＨのときにトランジスタＱはオフし、Ｌのときにオンとなる。トランジスタＱがオンのとき、トランスＴの一次側から二次側にエネルギーが伝達されるとともに巻数に対応して昇圧される。この昇圧された交流電圧は、コンデンサＣ３、ダイオードＤ３により整流し、出力端子１６２に例えば−１９０Ｖの図２（ｄ）に示すような直流電圧が得られる。トランジスタＱがオフのときは、トランスＴの二次側への出力は絶たれる。このときトランジスタＱがオフするときに、ダイオードＤ２、抵抗Ｒ４、コンデンサＣ２は、トランスＴの一次側に発生する逆起電力を吸収するためのいわゆるスナバ回路である。ダイオードＤ１、抵抗Ｒ３はコンデンサＣ１で直流がカットされるために、トランジスタＱのゲートに直流バイアス（−２４Ｖ）を供給させるバイアス回路である。
【００１５】
出力端子１６２に出力される図２（ｄ）は、波形成形部２００を介して地絡回路３００に供給される。地絡回路３００では、スイッチング電源部１００が停止しているときは、ダイオードＤ３がオフ状態にあることから、インピーダンスが高いため、アナログ電話機１７に駆動電流が流れずリンガーが鳴らない。
【００１６】
そこで２０ＨｚがＬレベルのとき、すなわち、スイッチング電源部１００が停止のとき、ホトカプラ１４の受光素子１４２がオンし、アナログ電話１７に溜まったエネルギーを抵抗Ｒ７→ホトカプラ１４→ダイオードＤ４→抵抗Ｒ５を経由して放出する。このときの電圧変化は、図２（ｅ）に示すような矩形波となる。この形状の波形では上記したように一部のアナログ電話を鳴動させることができない。
【００１７】
そこで、スイッチング電源部１００と地絡回路３００との間に設置された波形成形部２
００は、図２（ｅ）の最初の立下りは抵抗Ｒ６とコンデンサＣ４の時定数に基づき、図２（ｆ）に示すようななまった状態の波形となる。図２（ｅ）の立上がりは、コンデンサＣ４と抵抗Ｒ５で決定される時定数に基づき、図２（ｆ）に示すように上に凸の波形がなまった状態となる。以降のスイッチング電源部１００の動作期間に同様の出力を得ることができる。
【００１８】
アナログ電話機１７には図２（ｆ）のなまったリンガー信号が供給されることになり、高調波成分を有する図２（ｅ）の波形が供給された場合に鳴動することができなかったアナログ電話機１７を鳴動させることができる。
【００１９】
この実施例は、コンデンサＣ３と抵抗Ｒ３を追加し、地絡回路３００がオンのときにはコンデンサＣ４と抵抗Ｒ６の時定数で波形を鈍らせ、地絡回路３００がオフのときにはコンデンサＣ４と抵抗Ｒ６の時定数で波形を鈍らせることを可能にした。これにより、図２（ｆ）に示すように、矩形波から角がとれた波形が出力できるようになり、リンガー信号の高調波成分も十分に小さくすることができる。
【００２０】
図３は、この発明の他の実施例について説明するための回路図である。この実施例は複数のアナログ電話機を接続したものである。なお、図１と同一の構成部分には同一の符号を付し、ここでは異なる部分について説明する。
【００２１】
すなわち、直列接続された抵抗Ｒ７、アナログ電話機１７、抵抗Ｒ８に、、アナログ電話機１７１を並列接続するとともに、波形成形部２００の抵抗Ｒ６に抵抗Ｒ６１を並列接続した部分の構成が図１と異なる。
【００２２】
このようにアナログ電話機が複数接続された場合でも、波形整形部２００のコンデンサＣ４、抵抗Ｒ６，Ｒ６１の値を図２（ｆ）の波形になるように設定することにより対応することができる。
【００２３】
なお、ここでは２台のアナログ電話機の例について説明したが、同様に考え方によりさらに台数を増やした場合でも対応可能である。
【図面の簡単な説明】
【００２４】
【図１】この発明の一実施例について説明するための回路図。
【図２】図１の動作について説明するたるめの信号波形図。
【図３】この発明の他の実施例について説明するための回路図。
【符号の説明】
【００２５】
１００  スイッチング電源部
２００  波形成形部
３００  地絡回路
１７，１７１  アナログ電話機
Ｒ６，Ｒ６１  抵抗
Ｃ４  コンデンサ
【図１】
2005094449.tif 000003
【図２】
2005094449.tif 000004
【図３】
2005094449.tif 000005